(57)【要約】【課題】集合住宅用インターホンシステムにおいて、システムのコストを抑えつつ、訪問者に応じた呼出音の鳴らし分けを可能にする。【解決手段】複数の呼出音を選択的に鳴動させる住戸機１２と、所望のキー操作が住戸機の呼出音の一つに対応付けられて登録された呼出音キー操作記憶部２２とを備え、住戸機１２は、ロビー機１１で住戸機１２を呼び出すためのキー操作がなされたときには、所定の呼出音を鳴動させ、その後、ロビー機１１で呼出音キー操作記憶部２２に登録されているキー操作がなされたときには、鳴動中の呼出音を、そのキー操作に対応した呼出音に切り換える。【選択図】図１
2014222805.tif 000002
【特許請求の範囲】
【請求項１】
複数の呼出音を選択的に鳴動させる住戸機と、
所望のキー操作が前記住戸機の呼出音の一つに対応付けられて登録された呼出音キー操作記憶部とを備え、
前記住戸機は、ロビー機で該住戸機を呼び出すためのキー操作がなされたときには、所定の呼出音を鳴動させ、その後、ロビー機で前記呼出音キー操作記憶部に登録されているキー操作がなされたときには、鳴動中の呼出音を、該キー操作に対応した呼出音に切り換えることを特徴とする、呼出音切換機能を有した集合住宅用インターホンシステム。
【請求項２】
請求項１に記載の集合住宅用インターホンシステムにおいて、
前記呼出音キー操作記憶部は、全住戸機に適用されるキー操作が保存される第１記憶部を含んでいることを特徴とする、呼出音切換機能を有した集合住宅用インターホンシステム。
【請求項３】
請求項１又は２に記載の集合住宅用インターホンシステムにおいて、
前記呼出音キー操作記憶部は、個別の住戸機のみに適用されるキー操作が保存される第２記憶部を含んでいることを特徴とする、呼出音切換機能を有した集合住宅用インターホンシステム。
【請求項４】
複数の呼出音を選択的に鳴動させる住戸機と、
所望のキー操作が前記住戸機の呼出音の一つに対応付けられて登録された呼出音キー操作記憶部とを備え、
前記住戸機は、ドアホン子器で該住戸機を呼び出すためのキー操作がなされたときには、所定の呼出音を鳴動させ、その後、ドアホン子器で前記呼出音キー操作記憶部に登録されているキー操作がなされたときには、鳴動中の呼出音を、該キー操作に対応した呼出音に切り換えることを特徴とする、呼出音切換機能を有した一般住宅用インターホンシステム。
【発明の詳細な説明】
【技術分野】
【０００１】
本発明は、集合住宅用あるいは一般住宅用インターホンシステムにおける呼出音の鳴動に関する。
【背景技術】
【０００２】
従来、集合住宅用あるいは一般住宅用インターホンシステムでは、ロビー機あるいはドアホン子器での呼出操作に対して、住戸機は常に同一の呼出音を鳴動させるようになっている。そのため、訪問者が家族や知人であっても、訪問販売のセールスマン等であっても、呼出音で区別することはできなかった。このような問題に関連する先行技術の例として、次の特許文献１には、ロビー機に訪問者識別情報が入力されると、サーバ装置が認証して、玄関ロックの解除と、住戸端末への通知を行うことが記載されている。
【先行技術文献】
【特許文献】
【０００３】
【特許文献１】特開2009-30307号公報
【発明の概要】
【発明が解決しようとする課題】
【０００４】
上記特許文献１のような構成では、訪問予定者の識別情報をサーバ装置に予め登録しておけば、住戸端末では、その予定者が訪問してきたときに、その通知メッセージを表示すること等が可能になる。しかしながら、そのような構成は非常に複雑であるため、インターホンシステムがコスト高になる。また多数の訪問予定者を登録する場合、非常に手間が掛かるという問題もある。
【０００５】
そこで本発明は、システムのコストを抑えつつ、訪問者に応じた呼出音の鳴らし分けが可能な集合住宅用あるいは一般住宅用インターホンシステムを提供することを目的とする。
【課題を解決するための手段】
【０００６】
本発明による集合住宅用インターホンシステムは、複数の呼出音を選択的に鳴動させる住戸機と、所望のキー操作が前記住戸機の呼出音の一つに対応付けられて登録された呼出音キー操作記憶部とを備え、前記住戸機は、ロビー機で該住戸機を呼び出すためのキー操作がなされたときには、所定の呼出音を鳴動させ、その後、ロビー機で前記呼出音キー操作記憶部に登録されているキー操作がなされたときには、鳴動中の呼出音を、該キー操作に対応した呼出音に切り換えることを特徴とする。
【０００７】
前記呼出音キー操作記憶部は、全住戸機に適用されるキー操作が保存される第１記憶部を含んでいてもよい。
【０００８】
前記呼出音キー操作記憶部は、個別の住戸機のみに適用されるキー操作が保存される第２記憶部を含んでいてもよい。
【０００９】
本発明による一般住宅用インターホンシステムは、複数の呼出音を選択的に鳴動させる住戸機と、所望のキー操作が前記住戸機の呼出音の一つに対応付けられて登録された呼出音キー操作記憶部とを備え、前記住戸機は、ドアホン子器で該住戸機を呼び出すためのキー操作がなされたときには、所定の呼出音を鳴動させ、その後、ドアホン子器で前記呼出音キー操作記憶部に登録されているキー操作がなされたときには、鳴動中の呼出音を、該キー操作に対応した呼出音に切り換えることを特徴とする。
【発明の効果】
【００１０】
本発明では、所望のキー操作を、住戸機の呼出音の一つに対応付けて予め登録しておくという簡単な仕組みとしたことで、システムのコストを抑えつつ、訪問者に応じた呼出音の鳴らし分けが可能である。
【図面の簡単な説明】
【００１１】
【図１】本発明の一実施形態を示すシステム構成図である。
【図２】（ａ）、（ｂ）のいずれも呼出音キー操作登録の例である。
【図３】基本動作の例を示すタイムチャートである。
【図４】基本動作の例を示すフローチャートである。
【図５】本発明の他の実施形態を示すシステム構成図である。
【発明を実施するための形態】
【００１２】
図１に本発明の一実施形態を示す。この集合住宅用インターホンシステム１は、ロビー機１１、各々がドアホン子器１３を有する複数の住戸機１２、管理室機１４、システム制御装置１５が、ツイステッドペアケーブル等による回線Ｌによって、図示のように接続されている。回線Ｌでの信号伝送方式は特に制限されない。
【００１３】
ロビー機１１は、共同玄関入口扉の近傍に設置され、居住者が入口扉を開錠したり訪問者が目的の住戸を呼び出したりするための装置である。
【００１４】
またロビー機１１は、操作部１１ａ、音声処理部１１ｂ等を備えており、制御部１１ｘによって制御される。
【００１５】
操作部１１ａは住戸番号を指定操作するためのテンキーからなる。すなわち操作部１１ａは「０」−「９」の数字キーや、「＊」キー、「＃」キー、「呼出」キー等を備える。音声処理部１１ｂは、図示しないスピーカ、マイク、増幅アンプ等を備える。制御部１１ｘは、例えばマイコンからなり、制御プログラムに従って、ロビー機１１の動作や、回線Ｌを通じた通信を制御する。
【００１６】
住戸機１２は、各住戸内に設置され、ロビー機１１や管理室機１４との間での呼出通話を提供する装置であって、通信線によってドアホン子器１３が接続されている。
【００１７】
住戸機１２は、音声処理部１２ａ、表示処理部１２ｂ等の他、本発明に係る要素として、呼出音キー操作登録部２１、呼出音選択部２３、表示選択部２４を備え、制御部１２ｘによって制御される。
【００１８】
音声処理部１２ａは、図示しないスピーカ、マイク、増幅アンプ等を備える。表示処理部は、液晶表示パネル等からなる。
【００１９】
住戸機１２は、複数の呼出音を選択的に鳴動させる機能を有する。すなわち、音声処理部１２ａには複数の呼出音が準備されており、呼出音選択部２３は、システム制御装置１５から送信されてくる呼出音選択信号に従って、音声処理部１２ａが鳴動させる呼出音を切り換える。簡単な例として、呼出音Ａ、Ｂ、Ｃとして、「ピンポン」、「ピーンポン」、「ピーーンポーン」の３種類の呼出音が鳴動可能としてもよい。呼出音の数に特段の制限はなく、呼出音同士が鳴動パターンの違い等によって容易に聞き分けできればよい。なお呼出音Ａは通常時（デフォルト）の呼出音である。
【００２０】
呼出音キー操作登録部２１は、ロビー機１１における所望のキー操作を、住戸機１２が鳴動可能な呼出音の一つに対応付けて登録操作するための手段であり、テンキーや登録ボタン等（図示なし）からなる。
【００２１】
居住者は、住戸機１２を操作することによって、例えば、「＃」、「０」、「１」、「＃」等のキー操作手順（以下、単に「＃０１＃」のように記す）を、例えば呼出音Ｂに対応付けて、呼出音キー操作として自由に登録できる。登録された呼出音キー操作は、システム制御装置１５に設けられた呼出音キー操作記憶部２２に保存される。呼出音キー操作に特段の制限はなく、ロビー機１１で入力可能なキー操作であればよい。ロビー機１１は、呼出音キーとして専用キーを別途設けてもよいが、住戸番号を入力するためのテンキーを用いれば、コストが抑えられる。なお呼出音キー操作は、住戸機１２に設けられた呼出音キー操作記憶部（図示なし）に保存されるようにしてもよい。
【００２２】
また住戸機１２は、呼出音の鳴動時にメッセージを選択的に表示する機能を有してもよい。すなわち表示処理部１２ｂには複数のメッセージが準備されており、表示選択部２４は、システム制御装置１５から送信されてくる表示選択信号に従って、表示処理部１２ｂに表示させるメッセージを切り換える。簡単な例として、メッセージＡ、Ｂ、Ｃとして、「御来客です」、「御家族が帰宅されたようです」、「業者さんがいらっしゃったようです」の３種類のメッセージが住戸機１２で表示可能としてもよい。なおメッセージＡは通常時（デフォルト）のメッセージである。またメッセージの数や内容に特段の制限はない。これらのメッセージは、住戸機１２あるいは管理室機１４の操作によってプログラム可能であってもよい。
【００２３】
この場合、呼出音キー操作登録部２１の操作では、所望のキー操作が、呼出音キー操作として、呼出音の一つ、及びメッセージの一つに対応付けて登録できればよい。
【００２４】
管理室機１４は、管理室に設置され、ロビー機１１あるいは住戸機１２との間での呼出通話を提供する装置である。
【００２５】
管理室機１４は、住戸機１２と同様に、本発明に係る要素として、呼出音キー操作登録部２１を備え、制御部１４ｘによって制御される。
【００２６】
呼出音キー操作登録部２１は、ロビー機１１における所望のキー操作を、住戸機１２が鳴動可能な前記呼出音の一つに対応付けて登録操作する手段であり、管理人によって操作される。これによって登録される呼出音キー操作は、呼出音キー操作記憶部２２に保存される。
【００２７】
システム制御装置１５は、ロビー機１１、住戸機１２、管理室機１４の間での信号伝送を制御する装置である。システム制御装置１５は、呼出音キー操作記憶部２２を備えており、制御部１４ｘによって制御される。
【００２８】
呼出音キー操作記憶部２２は、管理室機１４で登録された呼出音キー操作を保存する第１の記憶部２２ａと、住戸機１２で登録された呼出音キー操作を住戸毎に保存する第２の記憶部２２ｂとを含んでもよい。すなわち第１の記憶部２２ａには、全住戸機１２に共通して適用される呼出音キー操作が保存され、第２の記憶部２２ｂには、住戸番号とともに、その住戸の住戸機１２のみに適用される呼出音キー操作が保存される。
【００２９】
図２に、呼出音キー操作登録の例を示す。ここでは、全住戸機１２に共通して適用される呼出音キー操作、つまり第１の記憶部２２ａの保存内容を図２（ａ）に示している。また個別の住戸機１２のみに適用される呼出音キー操作、つまり第２の記憶部２２ｂの保存内容を図２（ｂ）に示している。なお、表中の呼出音Ａ、Ｂ、Ｃ、およびメッセージＡ、Ｂ、Ｃは上記のものを想定している。
【００３０】
第１の記憶部２２ａでは、１つの呼出音キー操作を示すスロットが、呼出音キー操作、呼出音の種別、メッセージの種別の組合せによって構成されている。例として、その第１スロットでは、呼出音キー操作「＃９１＃」に呼出音Ｃ、メッセージＣが組み合わされている。
【００３１】
第２の記憶部２２ｂでは、１つの呼出音キー操作を示すスロットが、住戸番号、呼出音の種別、メッセージの種別の組合せによって構成されている。
【００３２】
例として、その第１スロットでは、住戸番号「２０１」、呼出音キー操作「＃０１＃」が呼出音Ｂ、メッセージＢに組み合わされている。第２スロットでは、住戸番号「２０１」、呼出音キー操作「＃０２＃」が呼出音Ｃ、メッセージＣに組み合わされている。第３スロットでは、住戸番号「２０２」、呼出音キー操作「＃３４＃」が呼出音Ｂ、メッセージＢに組み合わされている。第４スロットでは、住戸番号「２０２」、呼出音キー操作「＃６１＃」が呼出音Ｃ、メッセージＣが組み合わされている。第５スロットでは、住戸番号「２０３」、呼出音キー操作「＃７７＃」が呼出音Ｂ、メッセージＣに組み合わされている。
【００３３】
システム１全体の基本動作は、従来と同様である。例えば、訪問者の場合、ロビー機１１で呼出操作がなされると、その操作信号がシステム制御装置１５に送信される。システム制御装置１５は、送信されてきた操作信号から住戸番号を読み取って、その住戸番号に対応した住戸機１２に呼出信号を送信し、同時にロビー機１１とその住戸機１２との間に画像伝送路を形成させる。呼び出された住戸機１２は、ロビー機１１から送信されてきた撮影画像とともにメッセージＡを表示しながら、呼出音Ａを鳴動させる。住戸機１２で応答操作がなされると、応答信号がシステム制御装置１５に伝送され、システム制御装置１５は、ロビー機１１とその住戸機１２との間に音声伝送路を形成させる。これによりロビー機１１と、住戸機１２との間での通話が許容される。通話中に住戸機１２で解錠操作がなされると、共同玄関入口扉（図示なし）が解錠される。
【００３４】
なお居住者の場合、ロビー機１１で認証操作、すなわちカードキー等の読取操作等がなされると、その認証コードがシステム制御装置１５に送信される。システム制御装置１５は、その認証コードが認証できたときには、共同玄関入口扉を解錠させる。
【００３５】
そして本発明は、住戸機１２が上記呼出操作に基づいて呼出音Ａを鳴動させている間に、ロビー機１１で呼出音キー操作が更になされると、住戸機１２は、鳴動中の呼出音Aを、その呼出音キー操作に対応した呼出音ＢまたはＣに切り換える点を特徴としている。以下、この特徴をタイムチャート及びフローチャートに従って詳細に説明する。
【００３６】
図３は、本発明による動作の例をタイムチャートとして示している。時刻Ｔ１では、ロビー機１１で住戸番号２０２を指定した呼出操作がなされ、住戸番号２０２の住戸に設置されている住戸機１２は、呼出音Ａの鳴動を開始し、同時に、メッセージＡの表示を開始している。時刻Ｔ２では、ロビー機１１で呼出音キー操作「＃３４＃」がなされて、住戸機１２は、呼出音Ａを呼出音Ｂに切り換えるとともに、メッセージＡをメッセージＢに切り換えている。時刻Ｔ３では住戸機１２で応答操作がなされて、住戸機１２は、呼出音Ｂを停止させて、ロビー機１１との通話状態にしている。
【００３７】
また上記において住戸機１２が呼出音Ａを鳴動させているときに、呼出音キー操作「＃９１＃」がなされたときには、住戸機１２は、鳴動中の呼出音Ａを、その呼出音キー操作に対応した呼出音Ｃに切り換える。また表示中のメッセージＡを、その呼出音キー操作に対応したメッセージＣに切り換える。この動作のタイムチャートは、図３のものと大差ないので省略する。
【００３８】
図４は、本発明による動作の基本手順の例を示すフローチャートである。
【００３９】
ステップ１１、１２はロビー機１１で呼出操作を受け付ける処理と、その操作で指定された住戸の住戸機１２での呼出を開始する処理である。このとき住戸機１２は呼出音Ａを鳴動させるとともに、メッセージＡを表示する。
【００４０】
ステップ１３は、ロビー機１１でのキー操作をチェックする処理である。ステップ１４は、そのチェックした操作が、個別の住戸機１２のみに適用される呼出音キー操作であるか否かを、住戸番号を含めてチェックする処理である。ステップ１５は、そのチェックの結果に応じて、住戸機１２が鳴動中の呼出音Ａを、対応した呼出音ＢまたはＣに切り換える処理である。ステップ１６は、そのチェック結果に応じて、住戸機１２が表示中のメッセージＡを、対応したメッセージＢまたはＣに切り換える処理である。
【００４１】
ステップ１８は、ステップ１３でチェックしたキー操作が、全住戸機１２に共通して適用される呼出音キー操作であるか否かをチェックする処理である。このとき住戸番号のチェックは特に必要ない。ステップ１９は、そのチェックの結果に応じて、住戸機１２の鳴動中の呼出音Ａを、対応した呼出音ＢまたはＣに切り換える処理である。ステップ２０は、そのチェック結果に応じて、住戸機１２の表示中のメッセージＡを、対応したメッセージＢまたはＣに切り換える処理である。
【００４２】
ステップ２１は、住戸機１２での応答操作をチェックする処理である。応答操作がなされなければ、ステップ１３に戻る。
【００４３】
ステップ１３−２１の処理は、システム制御装置１４が実行してもよい。その場合、ステップ１５によって、システム制御装置１４は、呼出音選択信号を送信して、住戸機１２に呼出音を切り換えさせる。またステップ１６によって、システム制御装置１４は、メッセージ選択信号を送信して、住戸機１２にメッセージを切り換えさせる。
【００４４】
あるいはステップ１３−２１の処理は、住戸機１２が実行してもよい。この場合、住戸機１２に呼出音キー操作記憶部２２を設けた構成として、ステップ１３でチェックしたキー操作を、システム制御装置１４によって、住戸機１２に伝送すればよい。
【００４５】
次いで本発明による動作を具体例について説明する。例えば管理人は、管理室機１４の操作によって、全住戸機に共通して適用される呼出音キー操作「＃９１＃」を、呼出音Ｃ、メッセージＣに対応付けて登録することができる。こととき管理人は、その呼出音キー操作を、集合住宅での指定業者（宅配業者、リフォーム業者等）に通知しておく。その通知を受けた指定業者は、集合住宅の住戸を訪れたとき、ロビー機１１でその住戸の呼出操作を行ってから、更に、通知された呼出音キー操作を行う。すると呼び出された住戸機１２は、鳴動中の呼出音Ａ「ピンポン、ピンポン…」を、呼出音Ｃ「ピーーンポーン、ピーーンポーン…」に切り換える。同様に、メッセージＡ「御来客です」も、メッセージＣ「業者さんがいらっしゃったようです」に切り換えられる。居住者は、切り換えられた呼出音Ｃ、あるいはメッセージＣによって、来訪者が、集合住宅での指定業者であることを知ることができる。このようにすれば、ロビー機１１の撮影映像が見えにくい場合でも、あるいはカメラなしシステムでも来訪者が訪問販売セールスマン等でないことがわかるので安心である。なお呼出音キー操作は、適宜変更するようにすれば、一層安心である。
【００４６】
また、例えば２０１号住戸の居住者は、住戸機１２の操作によって、その住戸の住戸機１２のみに適用される呼出音キー操作「＃０１＃」を呼出音Ｂ、メッセージＢに対応付けて登録することができる。このとき居住者は、その呼出音キー操作を、家族に通知しておく。その通知を受けた家族は、帰宅したときに呼出操作を行ってから、更に、通知された呼出音キー操作を行う。すると呼び出された住戸機１２は、鳴動中の呼出音Ａ「ピンポン、ピンポン…」を、呼出音Ｂ「ピーンポン、ピーンポン…」に切り換える。同様に、メッセージＡ「御来客です」も、メッセージＢ「御家族が帰宅されたようです」に切り換えられる。居住者は、切り換えられた呼出音Ｂ、あるいはメッセージＢによって、家族が帰宅したことを知ることができる。またいつも利用している業者に対しても同様に、呼出音Ｃを鳴動させ、メッセージＣを表示させることができる。
【００４７】
このように本発明では、所望のキー操作を、住戸機１２の呼出音の一つに対応付けて予め登録しておくという簡単な仕組みによって、システムのコストを抑えつつ、訪問者に応じた呼出音の鳴らし分けを可能にしている。
【００４８】
図５に本発明の他の実施形態を示す。この一般住宅用インターホンシステム２は、住戸機１２と、この住戸機１２に通信線によって接続されたドアホン子器１３からなる。
【００４９】
住戸機１２は、各住戸内に設置され、ドアホン子器１３との間での呼出通話を提供する装置である。
【００５０】
住戸機１２は、音声処理部１２ａ、表示処理部１２ｂ等の他、本発明に係る要素として、呼出音キー操作登録部２１、呼出音キー操作記憶部２２、呼出音選択部２３、表示選択部２４を備え、制御部１３ｘによって制御される。図１に示したシステムに対応する要素には同一の参照符号を付け、重複する説明は省略する。
【００５１】
住戸機１２が鳴動可能な呼出音は、上記と同様に、呼出音Ａ、Ｂ、Ｃとしてもよい。また住戸機１２が表示可能なメッセージも、上記と同様に、メッセージＡ、Ｂ、Ｃとしてもよい。
【００５２】
呼出音キー操作登録部２１は、ドアホン子器１３における所望のキー操作を、住戸機１２が鳴動可能な呼出音の一つに対応付けて登録するための手段であり、テンキーや登録ボタン等からなる。ドアホン子器１３は操作部として「呼出」キー（図示なし）のみを備えることが一般的なので、ここでは呼出音キー操作を、「呼出」キーの短押しと長押しの組合わせとして規定してもよい。もちろんドアホン子器１３に呼出音キーを別途設けてもよい。
【００５３】
居住者は、例えば、ドアホン子器１３の「呼出」キーの長押し、短押し、長押し、短押しという組合せを呼出音キー操作として、呼出音Ｂ、メッセージＢに対応付けて登録することができる。このとき居住者は、その呼出音キー操作を、家族に通知しておく。その通知を受けた家族は帰宅したときに、その呼出音キー操作をすることによって、住戸機１２から呼出音Ｂを鳴動させ、かつメッセージＢを表示させることができる。またいつも利用している業者に対しても同様に、呼出音Ｃを鳴動させ、メッセージＣを表示させることができる。
【符号の説明】
【００５４】
１      集合住宅用インターホンシステム
２      一般住宅用インターホンシステム
１１    ロビー機
１２    住戸機
１３    ドアホン子器
２２    呼出音キー操作記憶部
２２ａ  第１記憶部
２２ｂ  第２記憶部
【図１】
2014222805.tif 000003
【図２】
2014222805.tif 000004
【図３】
2014222805.tif 000005
【図４】
2014222805.tif 000006
【図５】
2014222805.tif 000007